(57)【要約】  本発明は、ビームスプリッタを介して構成要素を照射するための装置に関する。ビームスプリッタは、少なくとも３つの別々の光反射帯域を備えている。３つの別々の光反射帯域の各帯域は、１つ又はそれ以上の光源からの光を、カメラの軸に対して異なる角度で反射させるように構成されており、ビームスプリッタは、而して、構成要素を、前記３つの別々の光反射帯域のそれぞれから反射された光エネルギーで照射する。【選択図】図１
2010505146.tif 000002
【特許請求の範囲】
【請求項１】
システムにおいて、
少なくとも３つの別々の光反射帯域を備えたビームスプリッタを備えており、前記３つの別々の光反射帯域の各帯域は、１つ又はそれ以上の光源からの光を、カメラの軸に対して異なる角度で反射させるように構成されており、前記ビームスプリッタは、構成要素を、前記３つの別々の光反射帯域のそれぞれから反射された光エネルギーで照射するように構成されている、システム。
【請求項２】
前記光源のセットを更に備えている、請求項１に記載のシステム。
【請求項３】
前記光源のセットと前記ビームスプリッタの間の光路内に設置されている散光器を更に備えている、請求項１に記載のシステム。
【請求項４】
前記構成要素を更に備えている、請求項１に記載のシステム。
【請求項５】
前記構成要素の画像を捕捉するように構成されているカメラであって、前記カメラのレンズは、前記カメラの前記軸に沿って前記構成要素に対面している、カメラを更に備えている、請求項１に記載のシステム。
【請求項６】
前記構成要素の取得された画像を翻訳するように構成されているマシンビジョン情報装置を更に備えている、請求項１に記載のシステム。
【請求項７】
前記光源のセットは発光ダイオード（ＬＥＤ）である、請求項１に記載のシステム。
【請求項８】
前記少なくとも３つの別々の帯域の内の少なくとも１つの帯域は、実質的に平面状の部分を備えている、請求項１に記載のシステム。
【請求項９】
前記少なくとも３つの別々の帯域のそれぞれは、実質的に平面状の部分を備えている、請求項１に記載のシステム。
【請求項１０】
対になった前記少なくとも３つの別々の帯域の間に配置されている少なくとも１つの部分は湾曲している、請求項１に記載のシステム。
【請求項１１】
前記ビームスプリッタは、チャンバ内に作動可能に取り付けられており、前記チャンバの横断面は、大凡、前記構成要素の直径の大凡２倍の幅を有している、請求項１に記載のシステム。
【請求項１２】
前記ビームスプリッタは、実質的に矩形のチャンバ内に作動可能に取り付けられており、前記チャンバの横断面は、大凡の幅が、前記カメラにより撮影されるようになっている前記構成要素の直径の大凡２倍であり、前記チャンバの前記横断面の高さが、前記構成要素の前記部分の前記幅の２倍を超えている、請求項１に記載のシステム。
【請求項１３】
前記カメラのレンズは、前記構成要素の直径に大凡等しいビューイングアパーチャを有している、請求項１に記載のシステム。
【請求項１４】
前記カメラのレンズの直径は、前記システムのチャンバの最下端によって画定される面と前記構成要素との最接近距離に大凡等しくなっている、請求項１に記載のシステム。
【請求項１５】
システムにおいて、
光源のセットと、
前記光源のセットから光エネルギーを受け取るように構成されている散光器と、
前記散光器から前記光エネルギーを受け取り、少なくとも３つの別々の光反射帯域を提供するように構成されている、実質的に非平面状のビームスプリッタであって、前記３つの別々の光反射帯域の各帯域は、前記光源のセットからの光を、カメラの軸に対して異なる角度で反射させるように構成されており、前記実質的に非平面状のビームスプリッタは、構成要素を、前記３つの別々の帯域のそれぞれから反射された光エネルギーで照射するように構成されている、ビームスプリッタと、
前記構成要素の画像を取得するように構成されている前記カメラであって、前記カメラのレンズの直径は、或る面と前記構成要素の間の最接近距離に大凡等しく、前記面は、前記システムのチャンバの最下端によって画定され、前記チャンバの幅は、前記構成要素の直径の２倍に大凡等しく、前記チャンバの高さは、前記構成要素の前記直径の２倍より大きく、前記構成要素の大きさは、少なくとも１次元において前記レンズの前記直径に大凡等しくなっている、カメラと、を備えているシステム。
【発明の詳細な説明】
【技術分野】
【０００１】
本発明は、ビームスプリッタを介して構成要素を照射するための装置に関する。
【背景技術】
【０００２】
本出願は、２００６年９月２７日出願の係属中の米国仮特許出願第６０／８４７，５９０号（弁理士事件番号第２００６Ｐ２０７３０ＵＳ）に対する優先権を主張し、その全体を参考文献としてここに援用する。
【０００３】
カメラ撮影及び／又はマシンビジョンを用いる場合には、光源を介して被写体を照射することができる。光源からの光エネルギーは、ビームスプリッタを介して部分的に被写体の表面に反射させることができる。光源からの出力の内、被写体の表面から反射される出力は、幾何学的形状によって異なり、及び／又は光線の追跡を介して判定することができる。ビームスプリッタからの光エネルギーで反射されないものは、被写体の表面の不均一性を定義することになる。特定の用途では、改良された照射装置、システム、及び／又は方法が望ましいことがある。
【先行技術文献】
【特許文献】
【０００４】
【特許文献１】米国仮特許出願第６０／８４７，５９０号
【発明の概要】
【０００５】
或る例示的な実施形態は、ビームスプリッタを備えることができるシステムを備えている。ビームスプリッタは、少なくとも３つの別々の光反射帯域を備えることができる。３つの別々の光反射帯域の各帯域は、１つ又はそれ以上の光源からの光を、カメラの軸に対して異なる角度で反射させるように構成することができる。
【図面の簡単な説明】
【０００６】
【図１】例示的な実施形態のシステム１０００のブロック図である。
【図２】例示的な実施形態のビームスプリッタ２０００のブロック図である。
【図３】例示的な実施形態のビームスプリッタ３０００のブロック図である。
【図４】例示的な実施形態のシステム４０００のブロック図である。
【図５】例示的な実施形態の方法５０００のフローチャートである。
【図６】例示的な実施形態の情報装置６０００のブロック図である。
【発明を実施するための形態】
【０００７】
添付の例示的な図面を参照しながら、以下の特定の例示的な実施形態の詳細な説明を読めば、多種多様な実用的で有用な実施形態が容易に理解頂けるであろう。
【０００８】
或る例示的な実施形態は、ビームスプリッタを備えることのできるシステムである。ビームスプリッタは、少なくとも３つの別々の光反射帯域を備えることができる。３つの別々の光反射帯域の各帯域は、１つ又はそれ以上の光源からの光を、カメラの軸に対して異なる角度で反射させるように構成されている。
【０００９】
マシンビジョンシステム及び／又は撮像システムは、構成要素及び／又は構成要素の一部分を照射するのに、発光ダイオード（ＬＥＤ）の様な照明要素のセットを利用することができる。システムのカメラは、カメラレンズがカメラの軸に沿って構成要素を指すように配置することができる。
【００１０】
照明要素のセットは、散光器の後ろにアレイ状に配列することができる。照明要素と散光器は、光を、カメラ軸に実質的に垂直となる一次照射方向に向けることができる。照明要素のセットを出た光は、散光器を通過し、散光器は、その光を拡散させて照射の均一性を高める。拡散した光は、非平面状のビームスプリッタに向けられ、このビームスプリッタは、その光の一部が、ビームスプリッタのカメラ側へと通過できるようにすることができる。非平面状のビームスプリッタは、光の一部分を、構成要素の表面に反射させることができる。非平面状のビームスプリッタは、少なくとも３つの別々の反射帯域を提供することができる。各反射帯域は、照明要素のセットを出た光を異なる角度で反射させ、及び／又は、単一の非平面状のビームスプリッタと比較して角度的な照明のカバーできる範囲を広げることができる。複数の反射帯域は、実質的に平面状のビームスプリッタの単一の反射帯域と比較して、構成要素を照射するためにビームスプリッタで反射させる光の量を増やすことができる。ビームスプリッタは、構成要素からの反射光を、部分的に反射させて、散光器に向かわせることができる。構成要素から反射し且つビームスプリッタで散光器に向けて反射されなかった光線は、ビームスプリッタを通過して、構成要素の画像をカメラが利用できるようにする。ビームスプリッタの中には、実質的に平面状の区画を利用して帯域を画定しているものもある。非平面状の区画及び／又は曲面を利用して、帯域を画定しているビームスプリッタもある。
【００１１】
図１は、光源のセット１１００を備えることができる、例示的な実施形態のシステム１０００のブロック図である。光源のセット１１００は、散光器１１８０を通過した光エネルギーを介して、構成要素１４００を照射するように構成することができる。散光器１１８０は、光源のセット１１００とビームスプリッタ１２００の間の光路に設置することができる。散光器１１８０を通過した光エネルギーは、第１光反射帯域１２２０、第２光反射帯域１２４０、及び第３帯域１２６０の様な少なくとも３つの別々の光反射帯域を備えることができるビームスプリッタ１２００に送られる。第１光反射帯域１２２０、第２光反射帯域１２４０、及び第３光反射帯域１２６０の各帯域は、光源のセット１１００の様な１つ又はそれ以上の光源を出た光を、カメラ及び／又はマシンビジョンシステム１７００の軸１７６０に対して異なる角度で反射させるように構成することができる。ビームスプリッタ１２００は、第１光反射帯域１２２０、第２光反射帯域１２４０、及び／又は第３光反射帯域１２６０のそれぞれから反射された光エネルギーを介して、構成要素１４００が照射されるように、構成することができる。第１光反射帯域１２２０、第２光反射帯域１２４０、及び第３光反射帯域１２６０の内の１つ又はそれ以上は、実質的に平面状の部分を備えていることができる。
【００１２】
第１光反射帯域１２２０、第２光反射帯域１２４０、及び第３光反射帯域１２６０は、単一の一体装置として作り、組み立て、及び／又は製作することができる。特定の例示的な実施形態では、第１光反射帯域１２２０、第２光反射帯域１２４０、及び第３光反射帯域１２６０は、２つ又はそれ以上の別々の及び／又は別体の部材から組み立てることができる。光源のセット１１００は、光源の第１サブセット１１２０と光源の第２サブセット１１４０を備えることができる。カメラ及び／又はマシンビジョンシステム１７００は、光源のセット１１００によって照射することのできる構成要素１４００の画像を捕捉するように構成することができる。カメラ及び／又はマシンビジョンシステム１７００は、構成要素１４００の画像を捕捉するように構成することができる。カメラ及び／又はマシンビジョンシステム１７００のレンズ１７４０は、カメラ及び／又はマシンビジョンシステム１７００の軸１７６０に沿って、構成要素１４００に対面させることができる。カメラ及び／又はマシンビジョンシステム１７００は、光源のセット１１００によって照射された構成要素１４００の取得された画像を翻訳するように構成することができる。システム１０００の例示的な実施形態のビームスプリッタ１２００では、３つの帯域が示されているが、ビームスプリッタ１２００は、任意の数の別々の帯域を備えることができ、及び／又は１つ又はそれ以上の湾曲した部分を備えることができる。例えば、ビームスプリッタ１２００の複数の帯域は、４つの別々の帯域を備えていることができる。
【００１３】
カメラ及び／又はマシンビジョンシステム１７００は、ネットワーク１８００を介して、情報装置に通信可能に連結することができる。例えば、画像情報は、カメラ及び／又はマシンビジョンシステム１７００から情報装置１９００に送信される。情報装置１９００は、ユーザーインターフェース１９２０、ユーザープログラム１９４０、及びメモリ装置１９６０を備えることができる。ユーザープログラム１９４０は、カメラ及び／又はマシンビジョンシステム１７００から受信した画像情報を処理するように構成することができる。ユーザーインターフェース１９２０は、ユーザープログラム１９４０に関する情報及び／又はカメラ及び／又はマシンビジョンシステム１７００から取得した画像情報をレンダリングするように構成することができる。メモリ装置１９６０は、画像情報及び／又は光源のセット１１００の制御に関する情報を保存するように構成することができる。
【００１４】
照明コントローラ１９８０は、プロセッサを備えていてもよく、光源のセット１１００を制御することができる。照明コントローラ１９８０は、光源のセット１１００の任意のサブセットをオンにしたりオフにしたりするように構成することができる。例えば、照明コントローラ１９８０は、光源の第２サブセット１１４０をオンにすることなく、光源の第１サブセット１１２０をオンにしたりオフにしたりするように構成することができる。照明コントローラ１９８０は、光源の第１サブセット１１２０をオンにすることなく、光源の第２サブセット１１４０をオンにしたりオフにしたりするように構成することができる。システム２０００では、光源のサブセット２つが示されているが、特定の例示的な実施形態は、光源のサブセットの個数については、最大で光源の個数に大凡等しい数及びそれ以下の任意の個数のサブセットを備えることができる。照明コントローラ１９８０は、光源のセット１１００の内の１つ又はそれ以上の光源の輝度を変更するように構成することができる。それにより、照明コントローラ１９８０は、第１光反射帯域１２２０、第２光反射帯域１２４０、及び第３光反射帯域１２６０を介して、部分的に反射される光エネルギーを提供するように構成することができる。照明コントローラ１９８０は、例えば、光度計、カメラ及び／又はマシンビジョンシステム１７００、及び／又は情報装置１９００からの情報を受け取り、その情報を利用して、或る特定の時間間隔の間に、光源のセット１１００の内のどの光源を照射させるべきか、及び／又は照射させるべき光源の輝度を判定することができる。
【００１５】
特定の例示的な実施形態では、ビームスプリッタ１２００は、区分けされていてもよく、光線を複数の角度で反射するように構成することができる。例えば、第１光反射帯域１２２０は、光線１５４０を、光線１５４０の場合を示した図示の例示的な角度の様な角度で反射するように構成することができる。第２光反射帯域１２４０は、光線１５００を、光線１５００の場合を示した図示の例示的な角度の様な角度で反射するように構成することができる。第３光反射帯域１２６０は、光線１５２０を、光線１５２０の場合を示した図示の例示的な角度の様な角度で反射するように構成することができる。システム１０００を利用すれば、構成要素１４００を、散光器１１８０を介して送られ、ビームスプリッタ１２００を介して、決められている及び／又は比較的均一的なやり方で反射された、光エネルギーで照射することができる。特定の例示的な実施形態では、歪みが比較的小さく抑えられた撮像経路を提供することができる。
【００１６】
システム１０００の寸法は、レンズ１７４０の直径１７２０、及び／又はカメラ及び／又はマシンビジョンシステム１７００のビューイングアパーチャに準拠することができる。システム１０００に示されている寸法及び／又はそれら寸法の間の関係は、一例であり限定を課すものではない。システム１０００及び／又はその要素の寸法及び／又は特徴は、広い範囲に亘って変動し、当業者が判断し及び／又は確立することができるものである。特定の例示的な実施形態では、システム１０００の寸法及び／又は特徴は、二次元的な光線追跡によって確立することができる。特定の例示的な実施形態では、
チャンバ１０５０は、ビームスプリッタ１２００を収納し、及び／又は支持するように構成されており、
チャンバ１０５０の壁１０８０は、光源１１００を出て散光器１１８０を介してビームスプリッタ１２００を通った光が、実質的に壁１０８０からカメラ及び／又はマシンビジョンシステム１７００のレンズ１７４０へ反射されないように、実質的な光吸収性の壁であり、
構成要素１４００の直径１３８０は、カメラ及び／又はマシンビジョンシステム１７００のレンズ１７４０の直径１７２０に大凡等しくなっており、
チャンバ１０５０と構成要素１４００の実質的に垂直方向の距離は、構成要素１４００の直径１３８０に大凡等しくなっており、
システム１０００は、軸上光拡散（ＤＯＡＬ）システムであり、
構成要素１４００を撮像するカメラ及び／又はマシンビジョンシステム１７００のレンズ１７４０の直径１７２０は、結果的に構成要素１４００の直径１３８０に大凡等しい撮像経路を得ることができるものであり、
チャンバ１０５０の高さは、構成要素１４００の直径１３８０の大凡２倍より大きくなっており、
チャンバ１０５０の大凡半部分の幅は、構成要素１４００の直径１３８０に大凡等しくなっており、
チャンバ１０５０の幅は、構成要素１４００の直径１３８０の大凡２倍になっており、
ビームスプリッタ１２００は、実質的に矩形のチャンバ１０５０に作動可能に取り付けられており、チャンバ１０５０の横断面は、大体の幅が構成要素１４００の直径１３８０の大凡２倍になっており、
構成要素１４００は、カメラ及び／又はマシンビジョンシステム１７００によって撮像されるように構成されており、
カメラ及び／又はマシンビジョンシステム１７００のレンズ１７４０の直径１７２０は、システム１０００のチャンバ１０５０の最下端１６００により画定されている面１６００と構成要素１４００との最接近距離に大凡等しくなっている。
【００１７】
図２は、第１光反射帯域２１００、第２光反射帯域２２００、及び第３光反射帯域２３００を備えることのできる例示的な実施形態のビームスプリッタ２０００のブロック図である。或る例示的な実施形態では、ビームスプリッタ２０００は、実質的に一体構造の単一部品である。特定の例示的な実施形態では、ビームスプリッタ２０００は、接合部２４００及び／又は接合部２５００で一つに接合及び／又は融合されている多数の区画を備えていることができる。図示の実施形態のシステム２０００は、別の用途では変えることができ、作動的実施形態において関係するパラメーターに動的に影響を及ぼすことができる。撮像経路区画の外側に位置している区画は、ビームスプリッタ材料、ミラー材料、及び／又は反射フィルムの様な多くの異なる材料で作ることができ、変動する及び／又は部分的な反射率を有することができる（例えば、平坦なガラス、プラスチック、研磨された金属）。
【００１８】
図３は、第１光反射帯域３１００、第２光反射帯域３２００、及び第３光反射帯域３３００を備えることができる例示的な実施形態のビームスプリッタ３０００のブロック図である。特定の例示的な実施形態のビームスプリッタ３０００は、第１光反射帯域３１００及び第３光反射帯域３３００の図示の湾曲部分の様な湾曲部分を備えることができる。特定の例示的な実施形態では、撮像経路の外側の幾何学形状は、平坦な及び／又は湾曲した面を設けることによって、反射される光の均一性が高まるように変えることもできる。特定の例示的な実施形態では、対になっている少なくとも３つの別々の帯域の間に配置されている少なくとも１つの部分を、第１光反射帯域３１００及び第３光反射帯域３３００の図示の湾曲部分の様な湾曲した形状にすることができる。
【００１９】
図４は、複数の光源４１００と或るカメラ４７００を備えることのできる例示的な実施形態のシステム４０００のブロック図である。特定の例示的な実施形態では、光源４１００は、回路基板上に装着された発光ダイオード（ＬＥＤ）のアレイ、白熱電球、遠隔地に設置されている供給源から光ファイバーによって伝送される光源、エレクトロルミネセンスパネル、及び／又は小型の蛍光灯などを備えることができる。複数の光源４１００から放射された光エネルギーは、散光器４２００を介して拡散させることができる。拡散された光エネルギーは、ビームスプリッタ４３００を介して、少なくとも部分的に反射され、構成要素４５００を照射することができる。
【００２０】
ビームスプリッタ４３００は、第１光反射帯域４３２０、第２光反射帯域４３４０、及び第３光反射帯域４３６０を備えることができる。特定の例示的な実施形態では、第１光反射帯域４３２０によって画定されている面は、散光器４２００によって画定されている面と、角度４６４０で交わることができる。図示されている例示的な実施形態では、第３光反射帯域４３６０によって画定されている面は、チャンバの底面４４００によって画定されている面と、角度４６８０で交わることができる。角度４６４０及び／又は角度４６８０は、大凡３５度、３９．１度、４４．８度、４５度、５３度、５９．９９度、６７度、６９．４度、７２度、７３度、７５度、７９．９度、８５度、及び／又はそれらの間の何れかの値又は部分範囲とすることができる。特定の例示的な実施形態では、構成要素４５００は、直径４６００を有している。特定の例示的な実施形態では、チャンバ４０５０から構成要素４５００までの距離４６２０は、構成要素４５００の直径４６００に大凡等しい。
【００２１】
図５は、例示的な実施形態の方法５０００のフローチャートである。活動５１００では、ビームスプリッタを製作する。ビームスプリッタは、プリズム及び／又はミラーから製作することができ、１つ又はそれ以上の反射物質（例えば、アルミニウム）で被覆することができる。ビームスプリッタは、光エネルギーの一部分を通すと共に、光エネルギーの一部分を或る所定の角度で反射するように構成することができる。ビームスプリッタは、少なくとも３つの光反射帯域を備えることができる。ビームスプリッタは、少なくとも３つの別々の光反射帯域を提供するように構成された実質的に非平面状のビームスプリッタである。
【００２２】
活動５２００では、ビームスプリッタを備えているシステムを組み立てる。ビームスプリッタは、実質的に非平面状のビームスプリッタである。システムは、撮像装置、チャンバ、光源（例えば、ＬＥＤ）のセット、照明コントローラ、散光器、構成要素、情報装置、マシンビジョン情報装置、及び／又は構成要素を位置決めするようになっている可動装置及び／又はシステムなどを備えることができる。撮像装置は、カメラ、マシンビジョン装置、及び／又はシステムなどである。可動装置及び／又はシステムは、システムに関係付けられている撮像装置に通信可能に連結されている照明コントローラ及び／又は情報装置によって自動的に制御されるように構成することができる。光源のセットによって照射されるようになっている構成要素が位置決めされる。
【００２３】
活動５３００では、光源の第１サブセットを照射させる。光源の第１セットは、実質的に非平面状のビームスプリッタを介して、構成要素を照射するように構成することができる。特定の例示的な実施形態では、光源のセット全体を照射させる。特定の例示的な実施形態は、光エネルギーを、光源のセットとビームスプリッタの間の光路内の散光器に通すように構成することができる。ビームスプリッタは、少なくとも３つの別々の光反射帯域を提供するように構成することができる。３つの別々の光反射帯域の各帯域は、光源のセットからの光を、カメラの軸に対して異なる角度で反射させるように構成することができる。ビームスプリッタは、構成要素が３つの別々の光反射帯域のそれぞれから反射された光エネルギーで照射されるように構成することができる。ビームスプリッタは、実質的に平面状のビームスプリッタの単一の反射帯域と比較して、構成要素の照射に使用される光の量を増すように構成することができる。
【００２４】
活動５４００では、カメラを介して、構成要素の第１画像を取得し、及び／又は捕捉する。カメラのレンズは、カメラの軸に沿って構成要素に対面させることができる。第１画像は、撮像装置を介して取得され、プロセッサ及び／又は情報装置に自動的に提供されることになる。プロセッサ及び／又は情報装置は、第１画像及び／又は第１画像と関係付けられている照射を翻訳し、及び／又は分析するように構成することができる。
【００２５】
活動５５００では、光源の第２サブセットを判定する。例えば、プロセッサ及び／又は情報装置は、第１画像及び／又は第１画像と関係付けられている照射の翻訳及び／又は分析に基づいて、光源の第２サブセットに判定を下すように構成することができる。プロセッサ及び／又は情報装置は、構成要素の、１つ又はそれ以上の検知された及び／又は所定の特徴を調べて、構成要素の照射が条件に合っているかどうかを自動的に判定するように構成することができる。構成要素の照射が条件に合っていない場合は、プロセッサ及び／又は情報装置は、光源の第２サブセットを自動的に判定するために、画像と関係付けられている反射情報及び／又は陰影情報を分析するように構成することができる。
【００２６】
活動５６００で、光源の第２サブセットを照射させる。光源の第２セットは、照明コントローラを介して照射させる。照明コントローラは、プロセッサ及び／又は情報装置から受信され、及び／又はそれらによって判定された情報に基づき、光源の第２サブセットを照射させることができる。
【００２７】
活動５７００で、構成要素の第２画像を取得する。第２画像は、撮像装置を介して取得され、プロセッサ及び／又は情報装置に自動的に提供されることになる。プロセッサ及び／又は情報装置は、第２画像及び／又は第２画像と関係付けられている照射を翻訳及び／又は分析するように構成することができる。プロセッサ及び／又は情報装置の自動判定に基づき、方法５０００の１つ又はそれ以上の活動は、構成要素の翻訳可能及び／又はデコード可能な画像が取得されるまで、再帰的に繰り返すことができる。
【００２８】
図６は、例示的な実施形態の情報装置６０００ブロック図であり、同情報装置は、特定の作動的な実施形態では、例えば、図１の情報装置１９００を備えることができる。情報装置６０００は、例えば、１つ又はそれ以上のネットワークインターフェース６１００、１つ又はそれ以上のプロセッサ６２００、命令６４００を保有している１つ又はそれ以上のメモリ６３００、１つ又はそれ以上の入力／出力（Ｉ／Ｏ）装置６５００、及び／又は、Ｉ／Ｏ装置６５００に連結されている１つ又はそれ以上のユーザーインターフェース６６００などの様な、多くの構成要素の何れを備えることもできる。
【００２９】
特定の例示的な実施形態では、グラフィカルユーザーインターフェースの様な１つ又はそれ以上のユーザーインターフェース６６００を介して、ユーザーは、ここに記載されている製品、サービス、方法、及び／又は情報の何れについても、その画像化、撮影、研究、設計、モデル化、制作、開発、建築、製造、運用、保守、保存、市場売買、販売、配達、選択、特定、要求、注文、受取、返却、評定、及び／又は推奨に関係する情報のレンダリングを見ることができる。
定義
以下の用語をここで実質的に使用する場合、以下の定義を適用する。これらの用語及び定義は、偏見なく且つ本出願の内容と整合性を持たせて提示しているものであり、本出願又はこれに対し優先権を主張する何れの出願についても、その審査手続き中にそれら用語を再定義する権利は保護される。本出願に対し優先権を主張する何れの特許も、その特許請求の範囲を解釈することを目的として、各定義（又は、同特許の審査手続き中に元の定義が補正された場合には再定義された用語）は、同定義に当てはまらない対象を明快且つ明白に否定する役目を果たす。
【００３０】
或る−少なくとも１つ。
【００３１】
活動−行動、行為、行い、機能、段階、及び／又は処理及び／又はその一部分。
【００３２】
〜するように構成されている−指定された機能を行うのに適している、適合している、及び／又は能力がある。
【００３３】
隣接する−密に近接して、近くに、隣に、及び／又は接触して。
【００３４】
〜に沿って−或る方向に一列に。
【００３５】
及び／又は−〜と共に又は〜の代わりにの何れか。
【００３６】
角度−２つの交差している線及び／又は光線を分離する回転の量。
【００３７】
機器−特定の目的に使用される器具又は装置である。
【００３８】
大凡−約、及び／又は〜とほとんど同じ。
【００３９】
関係付けられている−〜に関係している
少なくとも−〜未満ではない。
【００４０】
自動的に−基本的に外部からの人間による影響及び／又は制御に依存しないやり方で作用及び／又は作動すること。例えば、自動点灯スイッチは、人が点灯スイッチを手動で作動させるのではなく、その視界に人が「見える」とスイッチが入る。
【００４１】
軸−それを中心に本体又は幾何学的物体が回転するか又は回転していると見なすことができる直線、及び／又は構造又は本体の部分が基準とする中心線。
【００４２】
〜に基づき−〜を考慮して判定された、及び／又は〜から引き出された。
【００４３】
ビームスプリッタ−１つの光ビームを波長、極性、及び／又は方向が異なる２つ又はそれ以上のビームに分割し、及び／又は２つ又はそれ以上のビームからの１つの光ビームを合成するように構成されている装置及び／又はシステムである。
【００４４】
〜の間−或る分離間隔で、及び／又は〜の中間。
【００４５】
最下端−実質的に鉛直方向に向けて配置されたビームスプリッタの下側限界であり、作動システム内のカメラから最も離れている地点。
【００４６】
カメラ−多くの場合、レンズの付いたアパーチャを有する遮光性エンクロージャを備えた装置であり、同レンズを通して、被写体の静止画像及び／又は移動画像の焦点を合わせ、感光フィルム、プレート、テープ、及び／又は電子及び／又は光学メモリ装置（例えば、ＲＡＭ、ＥＥＰＲＯＭ、フラッシュメモリ、磁気ディスク、光学ディスクなど）に連結されているセンサに記録させる、装置。レンズの付いたアパーチャは、カメラの軸を画定している。
【００４７】
できる−少なくとも或る実施形態においては、〜の能力がある。
【００４８】
能力がある−使用できる可能性がある。
【００４９】
捕捉する−処理及び／又は保存に備えてデータを取得及び／又は記録すること。
【００５０】
〜させる−もたらす、誘発する、引き起こす、生じさせる、引き出す、〜を招く、〜という結果になる、及び／又は誘起する。
【００５１】
チャンバ−密閉された空間又は区画。
【００５２】
回路−ネットワークに包含されている２つ又はそれ以上の開閉装置の間に、及びネットワークに包含されているのではなくネットワークに接続されている対応する終端システムの間に、確立された電気伝導性経路及び／又は通信接続。
【００５３】
最接近−物理的及び／又は論理的に最も近い。
【００５４】
比較する−何か他のものに関して類似性及び／相違性に注目するために吟味すること。
【００５５】
構成要素−構成している素子及び／又は部分。
【００５６】
〜に包含されている−〜に含まれている。
【００５７】
〜を備えている−限定せず〜を含んでいる。
【００５８】
制御する−指示すること。
【００５９】
コントローラ−１つ又はそれ以上の所定の及び／又はユーザーが画定したタスクを行うための装置及び／又は機械読み取り可能な命令のセット。コントローラは、ハードウェア、ファームウェア、及び／又はソフトウェアの内の何れか１つ又は或る組み合わせを備えることができる。コントローラは、機械的、空気圧的、油圧的、電気的、磁気的、光学的、情報的、化学的、及び／又は生物学的原理、信号、及び／又は入力を利用して（単数又は複数の）タスクを行うことができる。特定の実施形態では、コントローラは、実行可能な手続き及び／又は情報装置が使用するための情報を操作、分析、変更、変換、送信することによって、及び／又は同情報を出力装置に経路決めすることによって、情報に働きかけることができる。コントローラは、中央演算処理ユニット、ローカルコントローラ、リモートコントローラ、パラレルコントローラ、及び／又は分散型コントローラなどとすることができる。コントローラは、カリフォルニア州サンタクララのIntel Corporation社製Pentium IVシリーズのマイクロプロセッサ、及び／又はイリノイ州ショウンバーグのMotorola社製HC08シリーズの様な、汎用マイクロコントローラーとすることができる。別の実施形態では、コントローラは、そのハードウェア及び／又はファームウェア内で、ここに開示されている或る実施形態の少なくとも一部を実行するように設計された、特定用途向け集積回路（ＡＳＩＣ）又はフィールドプログラマブルゲートアレイ（ＦＰＧＡ）である。
【００６０】
横断面−物体を軸に対して直角に切断する面によって形成される断面。
【００６１】
湾曲する−連続的に、実質的に角度を持たせずに曲げること。
【００６２】
画定する、定義する−〜の意味、関係、外形、形式、及び／又は構造を確立し、及び／又は厳密に及び／又は区別できるよう記述及び／又は指定すること。
【００６３】
設計、設計する−（名詞）部分及び／又は細部の目的のある配列。例えば、製品及び／又は処理の設計には、製品及び／又は処理の所定の態様を設計することが含まれる。（動詞）例えば、グラフィック表示の開発を備えているやり方などで、計画すること。
【００６４】
判定する−取得する、計算する、決定する、推定する、確立する、及び／又は確認すること。
【００６５】
装置−機械、製造物、及び／又はその集合体。
【００６６】
直径−物体の中心を通り物体の周辺で終結している直線の線分の長さ。
【００６７】
異なる−変えられた、別々の、及び／又は別体の。
【００６８】
散光器−光源の直径を拡大して、焦点を絞った及び／又は平行光線化された照明の効果を減ずるように構成されている、実質的に透明な構造体。
【００６９】
寸法−大きさ。
【００７０】
配置されている−設置されている、配列されている、及び／又は向きが定められている。
【００７１】
距離−物理的及び／又は論理的な分離の尺度。
【００７２】
別々の−個別の、及び／又はその他全てと容易に見分けがつく。
【００７３】
各−群内の個別と見なされる１つ１つのもの全て。
【００７４】
放射する−発する、放つ、及び／又は放出する。
【００７５】
エネルギー−使用可能なパワー。
【００７６】
等しい−実質的に同じ。
【００７７】
対面する−或る方向に向けられていること。
【００７８】
第１−順序付けの中の最初の実在物。
【００７９】
フロー−連続的移行。
【００８０】
〜のため−或る目的で。
【００８１】
〜から−起点を表すのに用いる。
【００８２】
更に−加えて。
【００８３】
〜より大きい−規模がより大きい。
【００８４】
有する−〜によって識別される。
【００８５】
高さ−所与のレベルの或る点から異なるレベルの或る点までの距離。
【００８６】
照射する−照らす、及び／又は光をそこに入射させること。
【００８７】
画像−実在物及び／又は現象の少なくとも二次元的な表現。
【００８８】
広がる、増す−大きさ、量、数、程度、値、強さ、及び／又はパワーなどがより大きく又はより多くなること。
【００８９】
〜を超えて−〜より大きい。
【００９０】
情報−主題に関係している事実、用語、概念、語句、表現、コマンド、数、文字、及び／又は記号など。データと同義に用いられることもあれば、編集、変換、及び／又は処理されたデータを表すのに用いられることもある。一般に、情報の管理、編集、保存、変換、通信、及び／又は提示が関与する或る特定の活動を自動化することは可能である。
【００９１】
情報装置−ここに記載されている方法、構造、及び／又はグラフィカルユーザーインターフェースの少なくとも一部分を実行する能力がある有限状態機械が属するあらゆる装置。情報装置は、ここに記載されている１つ又はそれ以上の機能を実行するために情報のレンダリングを可能にする、よく知られた伝達可能に連結されている構成要素、例えば、１つ又はそれ以上のネットワークインターフェース、１つ又はそれ以上のプロセッサ、命令を含んでいる１つ又はそれ以上のメモリ、１つ又はそれ以上の入力／出力（Ｉ／Ｏ）装置、及び／又は１つ又はそれ以上のユーザーインターフェース（例えば、Ｉ／Ｏ装置に連結されている）を備えることができる。例えば、情報装置は、どの様な一般用途及び／又は特殊用途のコンピューターであってもよく、例えば、パーソナルコンピューター、映像ゲームシステム（例えば、プレイステーション、任天堂ゲームボーイ、Ｘボックスなど）、ワークステーション、サーバー、ミニコンピューター、メインフレーム、スーパーコンピューター、コンピューター端末、ラップトップ、着用可能コンピューター、及び／又は携帯情報端末（ＰＤＡ）、アイポッド(iPod）、モバイル端末、ブルートゥース装置、連絡機構、「スマート」フォン（Treoの様な装置など）、メッセージサービス（例えば、Blackberry）受信器、ページャー、ファクシミリ、携帯電話、従来型の電話、電話装置、プログラムされたマイクロプロセッサ又はマイクロコントローラー及び／又は周辺集積回路素子、デジタル信号プロセッサ、ＡＳＩＣ又は他の集積回路、個別素子回路の様なハードウェア電子論理回路、及び／又はＰＬＤ、ＰＬＡ、ＦＰＧＡ、又はＰＡＬの様なプログラマブル論理装置、又は類似物などがある。
【００９２】
命令−特定の動作又は機能を行うように構成されている指示。ファームウェア及び／又はソフトウェアとして実装することができる。
【００９３】
翻訳する−〜の意味を解釈する、及び／又は或る意味を割り当てる。
【００９４】
入力／出力（Ｉ／Ｏ）装置−聴覚、視覚、触覚、嗅覚、及び／又は味覚指向性装置の様なあらゆる感覚指向性入力及び／又は出力装置であり、その様な装置としては、例えば、モニタ、ディスプレイ、プロジェクタ、オーバーヘッドディスプレイ、キーボード、キーパッド、マウス、トラックボール、ジョイスティック、ゲームパッド、ホイール、タッチパッド、タッチパネル、ポインティングデバイス、マイクロホン、スピーカ、ビデオカメラ、カメラ、スキャナ、プリンタ、触覚装置、バイブレータ、触知シミュレータ、及び／又は触知パッドが含まれ、Ｉ／Ｏ装置を取り付けるか又は接続することができるポートを含めてもよい。
【００９５】
レンズ−透明な物質の部材であり、大抵は、双方が湾曲しているか又は一方が湾曲していて一方が平面であるか、何れかの様式の相対した２つの面を有するガラスであり、光線の収束及び／又は焦点を変えるために光学装置に使用されている部材。
【００９６】
照明−（名詞）照射を提供するように構成されている装置及び／又はシステム、（動詞）視覚器が反応する、波長が約３００から約１０００ｎｍの範囲にある電磁放射を提供すること。
【００９７】
照明コントローラ−１つ又はそれ以上の光源の照射を生じさせるように構成されている、及び／又は、各光源の輝度制御を提供するように構成されているコントローラ。
【００９８】
発光ダイオード（ＬＥＤ）−印加された通電電流に応じて（一般的には可視）光を放射する半導体素子。
【００９９】
光反射帯域−光を所定の角度で反射させるように構成されているビームスプリッタの画定された部分。
【０１００】
光源−印加された電気エネルギーに応じて照射を与えるように構成されている装置及び／又はシステム。
【０１０１】
設置されている−特定の地点及び／又は位置に据えられている。
【０１０２】
機械命令−情報装置の様な機械に、１つ又はそれ以上の特定の活動、動作、及び／又は機能を行わせるように構成されている指示。指示は、「プロセッサ」、「カーネル」、「オペレーティングシステム」、「プログラム」、「アプリケーション」、「ユーティリティ」、「サブルーチン」、「スクリプト」、「マクロ」、「ファイル」、「プロジェクト」、「モジュール」、「ライブラリ」、「クラス」、及び／又は「オブジェクト」などと呼ばれる実在物を形成している場合もあり、ハードウェア、ファームウェア、及び／又はソフトウェア内に、マシンコード、ソースコード、オブジェクトコード、コンパイルドコード、アセンブルドコード、翻訳可能コード、及び／又は実行可能コードなどとして具現化することができる。
【０１０３】
機械読み取り可能−情報装置によって識別されることが可能な。
【０１０４】
機械読み取り可能媒体−情報装置、コンピューター、マイクロプロセッサ、及び／又はコントローラなどの様な機械が、データ、情報、及び／又は命令を取得し及び／又は保存することができる物理的構造体である。例として、メモリ、パンチカード、及び／又は光学的に読み取り可能な形式などが挙げられる。
【０１０５】
マシンビジョン−ビデオカメラ、ロボット、他の装置、及び／又はコンピューターを使用して、動作又は活動に関連する視覚及び／又は映像情報を取得及び／又は分析するように構成されている装置及び／又はシステムである。
【０１０６】
〜してもよい−少なくとも幾つかの実施形態では、許容されている、及び／又は許可されている。
【０１０７】
メモリ装置−命令及び／又はデータの様なアナログ又はデジタル情報を保存する能力がある機器。例として、不揮発性メモリ、揮発性メモリ、ランダムアクセスメモリ、ＲＡＭ、読み取り専用メモリ、ＲＯＭ、フラッシュメモリ、磁気メディア、ハードディスク、フロッピーディスク、磁気テープ、光学メディア、光学ディスク、コンパクトディスク、ＣＤ、デジタル汎用ディスク、ＤＶＤ、及び／又はレイドアレイなどが挙げられる。メモリ装置は、ここに開示されている実施形態によるメモリ装置の様に、プロセッサに連結することができ、及び／又は、プロセッサによって実行されるように構成されている命令を保存することができるものである。
【０１０８】
方法−何かを成し遂げるための関係する活動の処理、手続き、及び／又は集合である。
【０１０９】
それ以上−寸法、量、範囲、及び／又は程度がより大きいことを意味する数量詞。
【０１１０】
取り付ける−（名詞）その上に物を付着させるもの、（動詞）何かの上に及び／又は何かに連結、固定、及び／又は付着させること。
【０１１１】
ネットワーク−通信可能に連結されている複数のノード。ネットワークは、回路交換式、公衆交換式、パケット交換式、データ、電話、電気通信、映像配信、ケーブル、地上波、同報通信、衛星、ブロードバンド、社内、世界的、国家的、地域的、広域、バックボーン、パケット交換式ＴＣＰ／ＩＰ、高速イーサネット、トークンリング、公衆インターネット、私的、ＡＴＭ、マルチドメイン、及び／又はマルチゾーンサブネットワーク、の様な多種多様なサブネットワーク、１つ又はそれ以上のインターネットサービスプロバイダ、及び／又は、ローカルエリアネットワークなどに直接接続されていないスイッチ、ルーター、及び／又はゲートウェイの様な１つ又はそれ以上の情報装置など、の何れとすることもでき、及び／又は何れを利用することもできる。
【０１１２】
ネットワークインターフェース−情報装置をネットワークに繋ぐ能力がある、あらゆる装置、システム、又はサブシステム。一例として、ネットワークインターフェースは、電話、携帯電話、セル方式モデム、電話データモデム、ファックスモデム、無線トランシーバー、イーサネットカード、ケーブルモデム、デジタル加入者回線インターフェース、ブリッジ、ハブ、ルータ、又は他の同様の装置とすることもできる。
【０１１３】
非、不−〜ではない。
取得する−受け取る、得る、手に入れる、獲得する、捕捉する、計算する、判定する、及び／又は算定する。
【０１１４】
１つ−単一の構成単位。
【０１１５】
作動的な−活動している、即ち、作動する。
【０１１６】
対−数が２つの何か。
【０１１７】
通す−搬送する、移す、及び／又は送る。
【０１１８】
経路−何かが沿って移動する経路。
【０１１９】
撮像する−画像を記録することである。
【０１２０】
平面状−実質的に平坦な二次元の面として成形されている。
【０１２１】
平面−実質的に平坦な面。
【０１２２】
複数−２つ以上及び／又は１つより多い状態。
【０１２３】
部分−より大きな全体よりも小さい或る部分、構成要素、区間、割合、比、及び／又は量。視覚的、物理的、及び／又は実際に区別可能、及び／又は区別不能なこともある。
【０１２４】
位置決めする−所定の位置に置くこと。
【０１２５】
所定の−前もって定められている。
【０１２６】
防止する−出来事を、妨ぐ、阻害する、止める、及び／又は回避すること。
【０１２７】
プロセッサ−１つ又はそれ以上の所定のタスクを行うための装置及び／又は機械読み取り可能な命令のセット。プロセッサは、ハードウェア、ファームウェア、及び／又はソフトウェアの内の何れか１つ又は或る組み合わせを備えることができる。プロセッサは、機械的、空気圧的、油圧的、電気的、磁気的、光学的、情報的、化学的、及び／又は生物学的原理、信号、及び／又は入力を利用して、（単数又は複数の）タスクを行うことができる。或る実施形態では、プロセッサは、実行可能な手続き及び／又は情報装置が使用するための情報を、操作、分析、変更、変換、送信することによって、及び／又は同情報を出力装置に経路決めすることによって、情報に働きかけることができる。プロセッサは、中央演算処理ユニット、ローカルコントローラ、リモートコントローラ、パラレルコントローラ、及び／又は分散型コントローラなどとして機能することができる。別段記載のない限り、プロセッサは、マイクロコントローラ、及び／又はカリフォルニア州サンタクララのIntel Corporation社製Pentium IVシリーズのマイクロプロセッサの様なマイクロプロセッサ、の様な汎用装置とすることもできる。或る特定の実施形態では、プロセッサは、そのハードウェア及び／又はファームウェア内で、ここに開示されている或る実施形態の少なくとも一部を実行するように設計された、特定用途向け集積回路（ＡＳＩＣ）又はフィールドプログラマブルゲートアレイ（ＦＰＧＡ）の様な専用装置である。
【０１２８】
提供する−備え付ける、供給する、与える、搬送する、送る、及び／又は利用可能にすること。
【０１２９】
量−特定の量及び／又は尺度。
【０１３０】
受け取る−集める、取る、捕捉する、取得する、受け入れる、得る、及び／又は授けられること。
【０１３１】
矩形−４つの実質的に直角である角によって画定されている。
【０１３２】
反射する−表面から跳ね返ること。
【０１３３】
〜に関して−〜に関係がある。
【０１３４】
相対的に−何か他のものを参照して及び／又は対比して考察すること。
【０１３５】
レンダリングする−何らかの視覚的、聴覚的、及び／又は触覚的手段を介し、例えば、ディスプレイ、モニタ、電子ペーパー、人工眼球、人工内耳、スピーカなどを介して、例えば、データ、コマンド、テキスト、グラフィク、音声、映像、動画、及び／又はハイパーリンクなどとして、人が知覚できるようにすること。
【０１３６】
前記−特許請求の範囲のシステム又は装置の請求項に使用される場合、後に続く請求項の用語がそれまでに紹介されているものであることを表す冠詞。
【０１３７】
第２−順序付けの中で第１の実在物の直後の実在物である。
【０１３８】
隔離する−引き離すこと。
【０１３９】
セット−関係する複数の所定の要素、及び／又は、単数又は複数の特定の共通の特性を有する１つ又はそれ以上の別々の品目及び／又は実在物。
【０１４０】
形状−実在物の特徴的な面、外形、及び／又は輪郭である。
【０１４１】
信号−例えば、パワー、エネルギー、圧力、流量、粘度、密度、トルク、衝撃、力、電圧、電流、抵抗、起磁力、磁界強度、磁束、磁束密度、磁気抵抗、透磁率、屈折率、光波長、偏光、反射率、透過率、位相シフト、濃度、及び／又は温度など、空気圧的、油圧的、音響的、流体的、機械的、電気的、磁気的、光学的、化学的、及び／又は生物学的変数の様な、物理的変数の自動的に検出可能な変分としてエンコードされた、活動のための機械命令の様な情報である。文脈によっては、信号は、同期、非同期、ハードリアルタイム、ソフトリアルタイム、非リアルタイム、連続生成型、連続変化型、アナログ、離散生成型、離散変化型、量子化された、デジタル、連続測定型、及び／又は離散測定型などである。
【０１４２】
同時に−実質的に同じ時に。
【０１４３】
単一の−単独で存在しているか、又は１つの実在物から成る。
【０１４４】
大きさ−実在物の物理的寸法、比率、規模、量、及び／又は範囲。
【０１４５】
サブセット−セットの一部分。
【０１４６】
実質的に−必ずしも全部の及び／又全体的な範囲及び／又は程度というわけではないが、相当に大きい及び／又は優位である。
【０１４７】
システム−機構、装置、データ、及び／又は命令の集合であり、１つ又はそれ以上の特定の機能を行う様に設計されている集合。
【０１４８】
３つ−１足す１足す１。
【０１４９】
〜を通って−〜の一方の側から入り、もう一方の側から出る。
【０１５０】
伝送する−信号として送ること、提供すること、与えること、及び／又は供給すること。
【０１５１】
オンにする−運転状態にする、及び／又は始動させる。
【０１５２】
２倍−規模が大凡２倍。
【０１５３】
ユーザーインターフェース−情報をユーザーにレンダリングするため、及び／又はユーザーからの情報を要求するためのあらゆる装置。ユーザーインターフェースは、テキスト的、グラフィック的、音声的、映像的、動画的、及び／又は触覚的な要素の内の少なくとも１つを含んでいる。テキスト的要素は、例えば、プリンタ、モニタ、ディスプレイ、プロジェクタなどによって提供される。グラフィック的要素は、例えば、モニタ、ディスプレイ、プロジェクタ、及び／又は光、フラグ、ビーコンなどの様な視覚的表示装置を介して提供される。音声的要素は、例えば、スピーカ、マイクロホン、及び／又は他の音生成及び／又は受信装置を介して提供される。映像的要素又は動画的要素は、例えば、モニタ、ディスプレイ、プロジェクタ、及び／又は他の視覚的装置を介して提供される。触覚的要素は、例えば、非常に低い周波数のスピーカ、バイブレータ、触知スティミュレータ、触知パッド、シミュレータ、キーボード、キーパッド、マウス、トラックボール、ジョイスティック、ゲームパッド、ホイール、タッチパッド、タッチパネル、ポインティングデバイイス、及び／又は他の触覚的装置などを介して提供される。ユーザーインターフェースは、例えば、１つ又はそれ以上の文字、数、記号などの様な１つ又はそれ以上のテキスト的要素を含むことができる。ユーザーインターフェースは、例えば、画像、写真、図画、アイコン、ウインドウ、タイトルバー、パネル、シート、タブ、ドロワ、マトリックス、表、形式、カレンダー、アウトラインビュー、フレーム、ダイアログボックス、静止テキスト、テキストボックス、リスト、ピックリスト、ポップアップリスト、プルダウンリスト、メニュー、ツールバー、ドック、チェックボックス、無線ボタン、ハイパーリンク、ブラウザ、ボタン、コントロール、パレット、プレビューパネル、カラーホイール、ダイヤル、スライダ、スクロールバー、カーソル、ステイタスバー、ステッパ、及び／又は進捗状況インジケータなどの様な、１つ又はそれ以上のグラフィック的要素を含むことができる。テキスト的及び／又はグラフィック的要素は、外観、背景色、背景様式、境界線様式、境界線の太さ、前景色、フォント、フォント様式、フォントサイズ、整列、ライン間隔、インデント、最大データ長さ、妥当性、問合せ、カーソルのタイプ、ポインターのタイプ、自動サイズ調整、位置、及び／又は寸法などを、選択する、プログラムする、調節する、変更する、特定するなどのために用いられる。ユーザーインターフェースは、例えば、音量コントロール、ピッチコントロール、速度コントロール、ボイスセレクタ、及び／又は音声の再生、速度、一時停止、早送り、巻き戻しなどを制御するための１つ又はそれ以上の要素、の様な１つ又はそれ以上の音声的要素を含むことができる。ユーザーインターフェースは、例えば、映像の再生、速度、一時停止、早送り、巻き戻し、ズームイン、ズームアウト、回転、及び／又は傾きなどを制御するための要素、の様な１つ又はそれ以上の映像的要素を含むことができる。ユーザーインターフェースは、例えば、動画の再生、一時停止、早送り、巻き戻し、ズームイン、ズームアウト、回転、傾き、色、輝度、速度、周波数、外観などの様な１つ又はそれ以上の動画的要素を含むことができる。ユーザーインターフェースは、例えば、触知的な刺激、力、圧力、振動、動き、変位、温度などを利用する要素、の様な１つ又はそれ以上の触覚的要素を含むことができる。
【０１５４】
利用する−使用すること、及び／又は役立たせること。
【０１５５】
〜を介し−〜を経由して、及び／又は〜を利用して。
【０１５６】
ビューイングアパーチャ−構成要素を見るのに使用できるカメラレンズの開口。
【０１５７】
〜において−それについては、及び／又は〜に加えて。
【０１５８】
〜するところの−特定の単数又は複数のもの。
【０１５９】
幅−１次元に沿った何かの範囲の尺度。
【０１６０】
〜と共に−〜が伴っている。
【０１６１】
〜なく−〜が伴っていない。
【０１６２】
帯域−区別できる特性及び／又は特徴によって、隣接する部分と区別された区域及び／又は領域。
注記
当業者には、特定の例示的な実施形態に関する上で述べた及び／又はここに含まれている詳細な説明及び／又は図面を見て頂ければ、更に他の実質的及び特定的に実用的且つ有用な実施形態が容易に明白になるであろう。多くの変更、修正、及び更なる実施形態も可能であり、従って、その様な変更、修正、及び実施形態の全ては、本出願の範囲に含まれるとみなされるべきものと理解頂きたい。
【０１６３】
而して、本出願の何れの部分（例えば、発明の名称、背景技術、発明の概要、要約書、図面など）の文脈とも関係なく、何れの請求項に関しても、それが本出願の請求項であるか及び／又は本出願に対する優先権を主張している何れかの出願の請求項であるかに関わらず、そして、元から提出されているかそうでないかに関わらず、明示的な定義、断定、又は主張を介するなどにより、別途明白に指定されない限り、
何れの特定の説明され又は図示されている特徴、機能、活動、又は要素、又は何れの特定の活動順序、又は何れの特定の要素間相互関係についても、その包含に関する必要条件は存在せず、
何れの要素も、一体化し、分離し、及び／又は重複させることができ、
何れの活動も、繰り返し、複数の実在物によって行い、及び／又は複数の管轄区域で行うことができ、
何れの活動又は要素も、特定的に除外することでき、活動順序は変えることができ、及び／又は要素間相互関係は変えることができる。
【０１６４】
更に、何らかの数又は範囲がここに記述されている場合、別途明白に記載のない限り、その数又は範囲は大凡である。何らかの範囲がここに記述されている場合、別途明白に記載のない限り、その範囲は、範囲内の全ての数値と範囲内の全ての部分範囲を含む。例えば、１から１０までの範囲と記述されている場合、その範囲は、それらの間の全ての値、例えば、１．１、２．５、３．３３５、５、６．１７９、８．９９９などを含み、全ての部分範囲、例えば、１から３．６５まで、２．８から８．１４まで、１．９３から９まで、などを含む。
【０１６５】
ここに参考文献として援用されている何れの資料（例えば、米国特許、米国特許出願、書籍、論文など）の何れの情報も、その様な情報とここに記載されている他の記述及び図面との間に矛盾が存在しない範囲においてのみ参考文献として援用される。本明細書の又はこれに対する優先権を求めている何れの請求項についても、それを無効としかねない矛盾を含め、その様な矛盾が起こった場合は、参考資料として援用されているものの、何であれその様な矛盾する情報は、本明細書に参考文献として援用しないことを明確に述べる。
【０１６６】
従って、本出願の、特許請求の範囲そのものを除く全ての部分（例えば、発明の名称、背景技術、発明の概要、要約書、図面など）は、事実上、説明を目的としており、限定を課すものではない。
【図１】
2010505146.tif 000003
【図２】
2010505146.tif 000004
【図３】
2010505146.tif 000005
【図４】
2010505146.tif 000006
【図５】
2010505146.tif 000007
【図６】
2010505146.tif 000008
【国際調査報告】
2010505146.tif 000009
2010505146.tif 000010
2010505146.tif 000011